(57)【特許請求の範囲】
【請求項１】
立上がり壁コーナー部を形造る外面に、互いに井桁状に連結固定してなる複数の縦バタ材および横バタ材を配設することにより該型枠を支持し、かつ前記コーナー部において前記横バタ材が90°の角度で水平交差するその交差部の外隅部に接して、角パイプからなる隅付け縦バタ材を立設すると共に、その隅付け縦バタ材と、横バタ材のその外側に係止固定されていて前記隅付け縦バタ材からは離間した位置にある外付け縦バタ材との間に、それぞれ複数の連結杆を掛け渡し、かつそれらの連結杆が貫通する前記各縦バタ材の両面位置をねじで締め付けて固定することを特徴とする型枠コーナー部の角締め方法。
【発明の詳細な説明】
【０００１】
【発明の属する技術分野】
本発明は、型枠コーナー部の角締め方法に関し、とくにコンクリート立上がり壁コーナー部（出隅部・入隅部）のコンクリート打設に伴なう型枠変形防止に対して有効な簡易角締め（角決め）の方法について提案する。
【０００２】
【従来の技術】
一般に、コンクリート建築物における内・外壁、バルコニー、ベランダ等の立上がり壁には、出隅部・入隅部からなるコーナー部があり、このコーナー部を構築するためには、型枠とその型枠支持用サポート、即ち縦バタ材もしくは棧木と横バタ材とを緊結するクランプからなる型枠支持機構とが必要である。
【０００３】
従来、上記コーナー部に用いられる型枠支持機構としては、コーナー部において横バタ材1が互いに交差するその交差部(c)に、図1に示すような、根搦みコーナークランプ3を取付ける方法、図2に示すように、水平交差する前記横バタ材1・・・どうしを角決めするためのコーナークランプ金具4を用いて直角に緊結する方法、図3に示すようなコーナーロック金具5を取付ける方法、あるいはL形の角決め定規を取付けて固定する方法などが既知である。
【０００４】
【発明が解決しようとする課題】
上記各従来技術のうち、根搦みコーナークランプ3を用いる方法は、角締め効果が弱く、チェーンバックル等の併用が不可欠になるという問題点があった。また、角決め用コーナークランプを用いる方法では、クランプ金具自体複雑な構造を有するだけでなく、取付け個数を多くする必要があるため、作業に時間がかかると共にコスト高になるという問題点があった。また、コーナーロック金具5を用いる方法は、他のコーナーメイト金具との併用が不可欠であるだけでなく角締め効果が弱く、とくにコンクリート打設時の角締め保持に不安が残るという問題があった。そして、角決め定規を用いる方法は、上掲のコーナークランプや当金との併用が普通であって、セパレータやフォームタイを介して固定することから取付け・解体作業に時間がかかり、上述したと同様の問題点を抱えていた。とくに、これらの従来技術に共通する問題点は、コンクリート打設時の型枠変形に対して十分に機能しないことと、直角精度が崩れやすいという点にあった。
【０００５】
そこで、本発明の主たる目的は、コンクリート打設時の負荷状態においてもなお、型枠変形に対する備えと高い直角精度をもつ型枠コーナー部の角締め方法を提案することにある。
【０００６】
本発明の他の目的は、専用のクランプ金具を必要とせず、単に縦バタ材を連結杆によってねじ止め固定するだけでコーナー部の開き止めができ、それ故に取付け解体の作業能率が高くかつ安価に角締めができる方法を提案することにある。
【０００７】
【課題を解決するための手段】
上掲の目的の実現に向けて鋭意改善に努めた結果、発明者は、専用のコーナークランプ金具に頼ることなく、フォームタイの如き連結杆による取付け方法を工夫するだけで、効果的な角締めが可能になることを知見し、本発明を開発するに到った。
【０００８】
すなわち、本発明は、立上がり壁コーナー部を形造る外面に、互いに井桁状に連結固定してなる複数の縦バタ材および横バタ材を配設することにより該型枠を支持し、かつ前記コーナー部において前記横バタ材が90°の角度で水平交差するその交差部の外隅部に接して、角パイプからなる隅付け縦バタ材を立設すると共に、その隅付け縦バタ材と、横バタ材のその外側に係止固定されていて前記隅付け縦バタ材からは離間した位置にある外付け縦バタ材との間に、それぞれ複数の連結杆を掛け渡し、かつそれらの連結杆が貫通する前記各縦バタ材の両面位置をねじで締め付けて固定することを特徴とする型枠コーナー部の角締め方法である。
【００１０】
【発明の実施の形態】
一般的な型枠サポート方法において、とくにコンクリート立上がり壁コーナー部を形造るには、図4に示すように、コーナー部を含む内・外型枠パネル6、6’の外面に、まず内側縦バタ材2または棧木2’を配設すると共に、その外側には上下方向に所定の間隔で複数の通し横バタ1を配設し、これらを井桁状に組み合わせ、さらにセパレータやフォームタイを取付けてバタ用クランプ金具13等にて連結固定し、さらには上述したコーナークランプ4等を緊結して構築している。
【００１１】
このような型枠コーナー部のサポート方法において、本発明は、そのコーナー部の角締め方法を提案するものであって、とくに、従来の如きコーナークランプ3、4に頼るまでもなく、後述する各種の縦バタ材とこれらを結びつける連結杆の採用のみで、型枠コーナー部の開き止めを実現すると同時に、高い角締め効果と、高い直角精度をも実現し、さらには作業能率に優れると同時にコストの低下に対しても有効な方法を提案する。
【００１２】
すなわち、本発明に係る角締め方法の特徴は、型枠パネル6、6と通し横バタ材1・・・との間に配設される通常の縦バタ材2（もしくは棧木2’）とは別に、前記通し横バタ材（水平バタとも言うが、以下に単に「横バタ」という）1の外側に、外付け縦バタ材7、8と、隅付け縦バタ材9とを配設し、かかる外付け縦バタ材7、8と隅付け縦バタ材9との間を、両端部に締付けナットを締結するための螺設部を有するフォームタイの如き連結杆10・・・を掛け渡して、ねじ止め固定するようにした構成を採用した点にある。
【００１３】
上記隅付け縦バタ材9は、角パイプが用いられ、上記横バタ材1どうしが90°角度で水平交差するその交差部Cの外隅部に、当該縦バタ材9の角部と交差部Cの角部とが90°の角度を保持して接するように立設される。なお、この縦バタ材9には軸方向（上下方向）に沿って等間隔に、連結杆10を挿通させるための複数の貫通孔9aが設けてある。
【００１４】
上記外付け縦バタ材7、8は、好ましくは角パイプが用いられ、上記隅付け縦バタ材9から所定の間隔をもって離間した位置において、上記横バタ材1の外側に、即ち該隅付け縦バタ材9と同じ並びに立設され、その横バタ材1に根搦みクランプ12等を介して緊結固定されている。そして、この外付け縦バタ材7、8もまた、その軸方向に沿って上記隅付け縦バタ材9と同じレベルに複数の貫通孔7a、8aが設けてある。なお、この貫通孔7a、8aは連結杆10を挿通させる孔である。
【００１５】
上記連結杆10は、両端部に締付けナット11を取付けるための螺設部を有する、いわゆるフォームタイ類似のものであって、1個ないし複数個の締付けナット11が取付けてある。そして、この連結杆10は、上記貫通孔7a、8a、9aを介して隅付け縦バタ材9と外付け縦バタ材7、8との間を掛け渡して用いられ、各バタ材7、8、9を相互に連結固定するものである。
【００１６】
次に、本発明に係る型枠コーナー部角締めの方法について説明する。
まず、型枠パネル6、6’のコーナー部において、横バタ材１の水平交差部Cから所要の間隔（50cm〜2m）をおいた横バタ材1の外側に、外付け縦バタ材7、8を根搦みクランプ金具12を介して取付けて立設固定する。次いで、前記水平交差部Cに隅付け縦バタ材9を90°の角度を維持して仮止め立設する。その後、隅付け縦バタ材9を中心にして、90°の開きをもってその双方向に立設されている。一対の外付け縦バタ材9との間で、連結杆10を複数個掛け渡し、それぞれ締付けナット11を使って締め付けて固定し、コーナー部の角締めを行う。
【００１７】
上記のコーナー部角締め方法において、隅付け縦バタ材9の配設と外付け縦バタ材7、8の立設・固定とは順序が逆になってもよい。また、各隅付け縦バタ材に開孔した貫通孔7a、8a、9a中に挿通されている連結杆10のねじ止めは、各バタ材7、8、9の径方向の両端に締付けナット11を取付けて締付けてもよく、連結杆10の両外側部分のみを締め付けてもよいが、前者の方が直角程度、角締め精度を向上させる上で好ましい。なお、この構成において、直角精度は、前記締付けナット11の締め付けによって調節することができる。
また、本発明に係る角締め方法において、重要な役割を担う各縦バタ材7、8、9は、それぞれ角パイプを用いることが好ましい。当たり面を大きくとることができると共に、交差部Cに90°の角度で添わせることが容易だからである。
【００１８】
【発明の効果】
以上説明したように、本発明によれば、コーナークランプ金具やコーナーロック金具を用いることなく、3本の角形縦バタ材（外付け縦バタ材、隅付け縦バタ材）を単に連結杆で連結締付けナットで締結するだけの作業で、コーナー部の開き止めと、高い直角精度、高い角締め効果、解体・取付け作業の簡易迅速化、低コスト化が実現できるようになる。
【００１９】
とくに、本発明によれば、型枠内にコンクリートを打設したときの負荷状態においてもなお、コーナー部の直角精度が低下したり、角締め効果が弛んだりするようなことがなく、信頼性の高い型枠コーナー部の角締め作業を行うことができる。
【図面の簡単な説明】
【図１】従来の代表的な型枠コーナー部の角締め方法を説明するための斜視図である。
【図２】従来技術の一例を部分的に示す正面図および平面図である。
【図３】従来技術の他の一例を示す斜視図である。
【図４】本発明に係る角締め方法の全体を示す型枠コーナー部の斜視図である。
【図５】本発明に係る角締め方法の詳細を説明するための斜視図である。
【符号の説明】
1  横バタ材
2  縦バタ材
2’棧木
6、6’  型枠パネル
7、8  外付け縦バタ材
7a、8a  貫通孔
9  隅付け縦バタ材
9a  貫通孔
10  連結杆
11  締付けナット
12  根搦みクランプ金具
【図１】
0003779181.tif 000002
【図２】
0003779181.tif 000003
【図３】
0003779181.tif 000004
【図４】
0003779181.tif 000005
【図５】
0003779181.tif 000006